(57)【要約】【課題】収納部品の数に応じて継ぎたし可能の筒形収納容器の実現。【解決手段】筒形の収納容器１の第２開口端部３の外周形状および寸法と第１開口端部２の内周形状および寸法の関係を、第２開口端部３を第１開口端部２の開口へ嵌入係止できる形状寸法関係になるようにする。これにより、同じ収納容器が２個あった場合、一方の収納容器１の第２開口端部３を他方の収納容器１の第１開口端部２に嵌入係止でき、次々と継ぎたしが可能となる。収納すべき収納品の数に応じて必要な本数だけ継ぎたし、両端を蓋４で閉じる。【選択図】        図１
2005008170.tif 000002
【特許請求の範囲】
【請求項１】
収納品を収納し得る内部断面寸法を有する筒状体であって、一方の開口端部の外周形状およびその寸法と他方の開口端部の内周形状およびその寸法との関係が、一方の開口端部が他方の開口端部に嵌入係止し得る形状寸法関係にあることを特徴とする収納容器。
【請求項２】
請求項１記載の収納容器の一方および他方の開口端を閉じる蓋であって、先の方は一方の開口端部に嵌入係止する形状寸法であり、中間は他方の開口端部に嵌入係止する形状寸法であり、後方は他方の開口端の内周寸法よりも大なる外周寸法であることを特徴とする蓋。
【発明の詳細な説明】
【０００１】
【発明の属する技術分野】
本発明は、ＩＣやコネクタ等の電子部品やその他の物品の梱包、搬送、保管或いは自動組立て装置への使用部品連続供給用のトレーに用いられる筒形の収納容器の技術分野に属する。
【０００２】
【従来の技術】
図３は、例えばコネクタのような電子部品１０を収納する筒形の収納容器８の斜視図である。
この収納容器８の開口端から電子部品１０を順次収納していき両端を蓋９で閉じるというものである（例えば特許文献１参照）。
【０００３】
【特許文献１】
特開平１１−２３６０８９号公報（［０００２］〜［０００６］、図３）
【０００４】
【発明が解決しようとする課題】
このような固定長の収納容器８の場合、収納する部品数が少ないと、移動や輸送などのときに収納容器内で部品が移動して部品同士が衝突したり、収納容器内壁との摩擦で静電気を発生したりするので、この移動を防止するために図３の（ｂ）に示すように緩衝材１１を詰めなければならないので手間がかかるうえ、緩衝材が産業廃棄物になるという問題がある。
【０００５】
逆に収納すべき部品が多い場合には、その数量を収納できるだけの数の収納容器を用意して、それぞれに物品を収納して蓋を閉じるという作業を繰り返さなければならないという問題がある。
また、自動組み立て装置への部品供給トレーとして用いる場合には、組み立て装置へのトレー装着は通常１本しか行えないので中の部品がなくなる毎に部品が入っている新しい収納容器に取り替えなくてはならないという手間がかかる。
【０００６】
以上のような問題は、収納すべき部品の数に応じて長さの異なる複数種類の収納容器を用意することにより或る程度解消されはするが、逆にこのような収納容器を何種類も用意しておかなければならないということ自体が問題である。
【０００７】
本発明の目的は、上記従来技術の問題点に鑑みて、収納部品数が少ない場合に、緩衝材を用いなくて済むか、用いても少量で済むような比較的長さの短い収納容器を基本とし、収納部品数が多い場合、その数に対応して、同じ収納容器を継ぎたしていくことのできる構造とした収納容器およびその蓋を提供することにある。
【０００８】
【課題を解決するための手段】
上記の目的を達成するために、本発明の収納容器は、収納品を収納し得る内部断面寸法を有する筒状体であって、一方の開口端部の外周形状およびその寸法と他方の開口端部の内周形状およびその寸法との関係が、一方の開口端部が他方の開口端部に嵌入係止し得る形状寸法関係にあることを特徴とするものである。
【０００９】
また、収納容器の一方および他方の開口端を閉じる蓋は、先の方は一方の開口端部に嵌入係止する形状寸法であり、中間は他方の開口端部に嵌入係止する形状寸法であり、後方は他方の開口端の内周寸法よりも大なる外周寸法であることを特徴とする蓋である。
【００１０】
【発明の実施の形態】
本発明の実施の形態は、筒状の収納容器で、筒内に収納品が１列になって収納されるものである。筒の断面形状は、円形、楕円形、三角形、方形その他の多角形等の他に外周に凹部を含むものなど、収納する部品の形状に応じて多くの形態が採られうる。
【００１１】
筒の両端の開口端部の形状は、同一形状の筒状収納容器を次々に継ぎたして行ける構造である。従って、１つの収納容器の一方の開口端部が、同じ形の他の収納容器の他方の開口端部に嵌入係止することのできる構造であることが必要である。
【００１２】
結局、収納容器の一方の開口端部の外周形状およびその寸法は、他方の開口端部の内周形状および寸法に嵌入係止可能な構造ということになる。
【００１３】
典型的には、一方の開口端部の外周形状と他方の開口端部の内周形状は一致している場合が一般的であろうが、継ぎたしの目的を達成できればよいのであるから、両者の構造上の差異の有無は問うところではない。
【００１４】
以上により、１種類の長さの収納容器を用意しておくだけで、それを継ぎたすことによって、収納部品の数量に応じた長さの収納容器を得ることができ従来の問題点を解消できる。
【００１５】
次に押し込み蓋は、１種類の蓋で一方の開口端と他方の開口端の両方を閉じることができるように、一方の開口端の内径（これはとりもなおさず収納容器の内径である）に対応する部分と、他方の開口端の内径に対応する２段の径寸法を有するものとなるが、前述のように一方の開口端部が、他方の開口端部に嵌入係止する構造であるから、他方の開口端の内径は一方の開口端の内径よりも当然大なるものとなる。
【００１６】
従って、蓋としては、先の方が一方の開口端の内径即ち収納容器の内径に対応する径を有し、中間部が他方の開口端の内径に対応する径を有し、後部は、蓋が他方の開口端にもぐり込んでしまわないようにするため、他方の開口端の内径よりも大なる径を有するものとなる。
【００１７】
以上のような蓋の先方部および中間部の外周形状は、典型的には、収納容器の一方の開口端の内周形状および他方の開口端の内周形状に一致した形状を有するものとなるが、必ずしも一致した形状である必要はなく、要するに蓋としてしっかり嵌入係止し得る形状のものであればよい。
【００１８】
【実施例】
以下、本発明の実施例を図面を参照して説明する。
図１は、本発明収納容器の実施例の斜視図と２側断面図および蓋を示す図である。この実施例は断面形状が方形の場合である。
収納容器１の第１開口端部（課題解決手段に言う他方の開口端部）２の内周寸法Ａ１およびＢ１は、第２開口端部（一方の開口端部）３の外周寸法ＡおよびＢが嵌入係止し得る寸法となっている。
【００１９】
収納容器１の材質が完全剛体に近い場合には、各寸法の間にはＡ≦Ａ１、Ｂ≦Ｂ１の関係がなければ嵌入しないが、材質が合成樹脂のように若干の伸縮性のある場合には、Ａ＞Ａ１、Ｂ＞Ｂ１であっても押し込み挿入が可能であり、簡単に抜けてしまわない嵌入が可能である。図の（ｂ）は、図の（ａ）の中心軸を含む垂直断面における断面図であり、図の（ｃ）は、図の（ｂ）のＹ−Ｙにおける断面図である。Ｃは収納容器１の筒内垂直方向の寸法、Ｄは幅方向の寸法である。
【００２０】
図の（ｄ）は収納容器１の第１開口端部２および第２開口端部３の開口を塞ぐ蓋である。
先の方の高さＣ１、幅Ｄ１の第２係止部６は、第１開口端部２、第２開口端部３のいずれに挿入した場合でも、収納容器１の高さＣ、幅Ｄ（図の（ｃ）参照）で示される部分に嵌入する部分である。収納容器１の材質が完全剛体に近い場合には、各寸法の間には、Ｃ１≦Ｃ、Ｄ１≦Ｄの関係がなければ嵌入できないが、材質が合成樹脂のように若干の伸縮性のある場合には、Ｃ１＞Ｃ、Ｄ１＞Ｄであっても押し込み挿入が可能であり、簡単に抜けてしまわない嵌入が可能であること、第２開口端部３を第１開口端部２へ嵌入する場合と同様である。
【００２１】
中間の幅Ａ２、高さＢ２の第１係止部５は、蓋４を第１開口端部２へ挿入したときに、幅Ａ１、高さＢ１の部分に嵌入する部分である。寸法関係については、第２係止部６について述べたところと同様である。
【００２２】
後方の皿部７は、蓋４を第１開口端部２へ押し込んだ際に、潜り込んでしまわないようにするため、および抜くときの手掛りとするために、第１開口端部２の開口寸法より大きなものとなっている。
【００２３】
図２は、使用例として、収納容器１を３本でつないで、左端の第１開口端部２と右端の第２開口端部３に蓋４を嵌め込んだ状態を示す図である。
【００２４】
以上は、断面が方形の収納容器の例であるが、本発明の収納容器は、断面方形に限られるものではなく、断面が円形或いは楕円形であってもよいし、また、三角形その他の多角形であってもよく、要するに収納する部品の形状を考慮して選ぶことができる。
【００２５】
【発明の効果】
以上説明したように、本発明の収納容器は、一方の開口端部が他方の開口端部へ嵌入係止できるような形状寸法の関係にあるので、同じものの継ぎたしが可能であり、収納すべき部品の数に応じて適した長さの収納容器が実現できるので、緩衝材を用いないで済むか、或いは用いても従来より少量で済むという利点があり、また、何本継ぎたしても蓋は両端の２箇所だけでよく、蓋の数も蓋をする工数も大幅に低減できる利点があり、自動組立て装置への部品供給トレーとして用いる場合には、継ぎたした分だけ装着交換の手間が少なくて済むという利点がある。
【図面の簡単な説明】
【図１】本発明の収納容器の実施例の構成を示す図である。
【図２】本発明の収納容器を継ぎたして両開口端に蓋をした状態を示す図である。
【図３】従来の筒形収納容器の例を示す図である。
【符号の説明】
１  収納容器
２  第１開口端部
３  第２開口端部
４  蓋
５  第１係止部
６  第２係止部
７  皿部
８  収納容器
９  蓋
１０  電子部品
１１  緩衝材
【図１】
2005008170.tif 000003
【図２】
2005008170.tif 000004
【図３】
2005008170.tif 000005